(57)【要約】【課題】  本発明は、自転車のクランクに垂直状に取り付けられているペダルを、ペダル軸より下に移動させた面に取り付けることにより、簡単な構造かつ容易な操作でペダルが可動できるようになり、折りたたむことで狭いスペースでも能率的に駐輪できるようになる折りたたみペダルを提供する。【解決手段】  自転車のクランクの先に、ペダルの位置を下げるためアーム１を設け、アーム下部に可動ペダル２を取り付け、ペダルを安定させるためペダル内側に磁石６を設けたことを特徴とする。【選択図】図１
2020196419.tif 000002
【特許請求の範囲】
【請求項１】
自転車のクランクの先に、ペダルの位置を下げるためアーム１を設け、アーム下部に可動ペダル２を取り付け、ペダルを安定させるためペダル内側に磁石６を設けたことを特徴とする折りたたみペダル。
【発明の詳細な説明】
【技術分野】
【０００１】  本発明は、自転車のクランクに垂直状に取り付けられているペダルを、ペダル軸より下に移動させた面に取り付けることにより、簡単な構造かつ容易な操作でペダルが可動できるようになり、折りたたむことで狭いスペースでも能率的に駐輪できるようになる折りたたみペダルに関するものである。
【背景技術】
【０００２】  従来の自転車は、クランクの先に垂直状に取り付けられたペダル軸に、ペダルが回転できるように取り付けられている。使用時の手軽さや安全性などの利便性を考えると、ペダルを折りたたむ有効な手段が簡単には無く、折りたためないペダルが未だに主流となっている。そのため飛び出たペダルのため、駐輪する際には幅広いスペースが必要となり、取り扱いも不便である。
また、他形式の折りたたみペダルは幾つか開発されているが、何れもペダル軸上で可動させる形式（例、特許文献１、３、４）で、構造が複雑で重く、操作も簡単とは言えず、一部の特殊な自転車に採用されている程度である。
現代社会において自転車は、無くてはならない交通手段の一つであり、今後も利用が大いに見込まれるものである。しかし普段自転車を利用している人は、ペダルの不便さを感じつつも工夫し改善しようという意識は薄く、折りたたみペダルの存在すら知らない利用者も多い現状である。自転車をより便利なものにしたいという思いには、多くの課題があるものと思われる。
【先行技術文献】
【特許文献】
【０００３】
【特許文献１】特開２００４−１８２２３２号広報
【特許文献２】特開２００３−１５４９８５号広報
【特許文献３】特開２００１−２０６２７２号広報
【特許文献４】特開平７−１４４６７８号広報
【特許文献５】特開平７−１４４６７７号広報
【発明の概要】
【発明が解決しようとする課題】
【０００４】  これは、次のような欠点がある。
イ  ペダルが折りたためないため、駐輪時に幅広いスペースが必要となり、また駐輪する際にペダルが足や他の自転車に当たり、扱いにくい。
ロ  ペダルはペダル軸を中心に回転するため裏表の区別がなく、ペダル面が縦や斜めになることもあり、足を乗せる際にペダルを踏み損なうことがあり危険である。
ハ  ペダルは、ペダル軸内のベアリングにより円滑に回転できる反面、ベアリングの構造よりペダル軸を細くすることは不可能で、ペダルをより薄く軽くすることは難しい。また、ペダル裏表に、滑り止め加工を施さなければならない。
ニ  他形式の折りたたみペダルは幾つか開発されているが、構造が複雑で重く、操作も容易とは言えない。また折りたたんでもペダル軸や突起物が張り出していて、折りたたむことによって生じるスペースは広くない。
ホ  自転車は、昔から庶民の足として利用されており、安全かつ丈夫で、安価なものである必要がある。また雨風や泥石、衝撃などの様々な環境下でも使用されるため、耐久性やメンテナンスのしやすさが求められている。
本発明は、以上のような欠点を無くすためになされたものである。
【課題を解決するための手段】
【０００５】  自転車のクランクの先に、ペダルの位置を下げるためアーム１を設け、アーム下部に可動ペダル２を取り付け、ペダルを安定させるためペダル内側に磁石６を設ける。
本発明は、以上の構成よりなる折りたたみペダルである。
【発明の効果】
【０００６】  イ  可動ペダルで折りたたむことにより、駐輪する際の駐輪スペースが従来より少なくでき、他の自転車の邪魔にならず出し入れが容易にできる。また自転車を引いて歩く際にもペダルが足に当たらず歩きやすい。
ロ  可動ペダルを起こしたとき、ペダル面は常に水平に保たれるので、足を乗せる際にペダルを踏み損なうことが無くなる。またクランクの先の軸よりペダルが下になるため、常に足の下向きの力が加わるとともに磁石で安定させるため、可動ペダルが誤作動で折りたたまれることは無く安全である。
ハ  可動ペダルには太い軸が無く、ペダル面も表面のみを使用するので、ペダルを薄く軽くすることができる。また滑り止め加工も片面のみでよい。
ニ  他形式の折りたたみペダルと比べ、構造が簡単で子供や女性、高齢者でも足先の簡単な操作でペダルを可動させることができ、日常的に使用されることが期待できる。またペダルを折りたたむことで生じるスペースは広く、可動ペダルのメリットは大きい。
ホ  構造が簡単で製作も比較的容易であるので安価にできる。また十分な強度と耐久性を備えた構造で、雨風や泥石、衝撃などの環境下でも安心して使用でき、メンテナンスもほぼ不要である。また汎用性があるので従来型の自転車にも装着可能であり、普及・実用化が期待できる。
【図面の簡単な説明】
【０００７】
【図１】  本発明の分解斜視図である。
【図２】  本発明の可動ペダルを起こした斜視図である。
【図３】  本発明の可動ペダルを折りたたんだ斜視図である。
【図４】  本発明の可動ペダルを起こした正面図・右側面図である。
【図５】  本発明の可動ペダルを折りたたんだ正面図・右側面図である。
【図６】  本発明のアームの正面図・右側面図である。
【図７】  本発明の軸Ａの正面図・右側面図である。
【発明を実施するための形態】
【０００８】  以下、本発明を実施するための形態について説明する。（右側を例に挙げる）
中心となる部品は、アーム１と可動ペダル２であり、それらを支持・機能させるために軸Ａ３、平軸受４、軸Ｂ５、磁石６の６部品から成る構造である。
１  自転車のクランクの先に軸Ａ３の内側をネジで固定し、外側には平軸受４を取り付ける。
２  アーム１の上側の穴に、軸Ａ３の外側に取り付けた平軸受４を通して固定する。
３  アーム１の下側に可動ペダル２の内側を取り付けて、軸Ｂ５で接合する。
４  可動ペダル２の内側に磁石６を接着する。
左側のペダルも同様な構成となる。ただし、クランクの先のネジは逆ネジとなる。
本発明は、以上のような構成である。
本発明を使用するときは、足先で可動ペダル上端部を外側に押し出して水平にすると可動ペダル内側にある磁石がアーム底面に接着して、ペダルが固定されるので使用可能な状態となる。
使用後は、足先で可動ペダル外側を持ち上げ垂直にすると、可動ペダル内側にある磁石がアーム底面に接着して、ペダルが固定されるので、折りたたんだ状態となる。
【符号の説明】
【０００９】  １  アーム
２  可動ペダル
３  軸Ａ
４  平軸受
５  軸Ｂ
６  磁石
【図１】
2020196419.tif 000003
【図２】
2020196419.tif 000004
【図３】
2020196419.tif 000005
【図４】
2020196419.tif 000006
【図５】
2020196419.tif 000007
【図６】
2020196419.tif 000008
【図７】
2020196419.tif 000009